(57)【要約】【課題】  治療対象の卵子、受精卵等を取り違える事態が発生するのを防止し、凍結保存する受精卵等を個体管理するのに好適な個体管理システムを提供する。【解決手段】  施設内の適宜場所に設置したサーバ１１と、複数のパーソナルコンピュータ１３，２１と、施設内の適宜場所で使用する識別コード読取装置１４，２２，３４と、識別コード・ＩＣタグ読取装置４７と、適宜検体を凍結保存するために使用する装置、機器、器具、容器４１，４２，４３，４５と、少なくとも前記装置、機器、器具、容器に付着した識別コード及び装着したＩＣタグ４３ｄ，４５ｃと、から個体管理システムを構成する。施設内に設置又は使用する装置、機器、器具、容器は施設内ネットワーク５で接続し、さらに、インターネット６を介してクラウドサーバ７１に接続してある。【選択図】  図１
2018042693.tif 000002
【特許請求の範囲】
【請求項１】
施設内の適宜場所に設置したサーバと、複数のパーソナルコンピュータと、施設内の適宜場所で使用する識別コード読取装置と、識別コード・ＩＣタグ読取装置と、適宜対象物を凍結保存するために使用する装置、機器、器具、容器と、少なくとも前記装置、機器、器具、容器に付着した識別コード及び装着したＩＣタグと、から構成されることを特徴とする個体管理システム。
【請求項２】
前記施設内の適宜場所にラベルプリンタを設置したことを特徴とする請求項１に記載の個体管理システム。
【請求項３】
前記施設内に設置又は使用する装置、機器、器具、容器を施設内ネットワークで接続したことを特徴とする請求項１又は２に記載の個体管理システム。
【請求項４】
さらに、前記施設内ネットワークを、インターネットを介してクラウドサーバに接続したことを特徴とする請求項３に記載の個体管理システム。
【請求項５】
前記施設を利用する者は、携帯情報端末装置によって前記クラウドサーバにアクセスできることを特徴とする請求項４に記載の個体管理システム。
【請求項６】
前記携帯情報端末装置は、携帯用電話機、スマートフォン又はタブレットコンピュータであることを特徴とする請求項５に記載の個体管理システム。
【請求項７】
前記施設は、体外受精を実施する施設であることを特徴とする請求項１乃至６の何れか１に記載の個体管理システム。
【請求項８】
前記施設は、動物の生殖細胞の保存と管理を行う施設であることを特徴とする請求項１乃至６の何れか１に記載の個体管理システム。
【請求項９】
適宜対象物を液体窒素内で凍結保存する前記装置、機器、器具、容器は、少なくとも、凍結保存用タンクと、キャニスタと、ケーンと、卵子保存容器と、を含むことを特徴する請求項１乃至８の何れか１に記載の個体管理システム。
【請求項１０】
前記ケーンは、その把持部にケーン用ＩＣタグを装着自在としたものであることを特徴とする請求項９に記載の個体管理システム。
【請求項１１】
前記ケーン用ＩＣタグは、ラッチ構造を有し、前記ケーンの把持部に差し込むと、そのラッチ部が噛み込み、ケーンの把持部から容易に外れないものであることを特徴とする請求項１０に記載の個体管理システム。
【請求項１２】
前記ケーン用ＩＣタグは、その表面を着色したものであることを特徴とする請求項１０又は１１に記載の個体管理システム。
【請求項１３】
前記ケーン用ＩＣタグは、その表面にＩＤを印字、又は、ＩＤを印刷したラベルを貼着したものであることを特徴とする請求項１０乃至１２の何れか１に記載の個体管理システム。
【請求項１４】
前記卵子保存容器は、その杆状部の上端部に、被覆パイプ内にインレットを収納した卵子保存容器用ＩＣタグを装着したものであることを特徴とする請求項９に記載の個体管理システム。
【請求項１５】
前記被覆パイプは、その中間部の内径を前記卵子保存容器の杆状部の外接円直径よりも小としたことを特徴とする請求項１４に記載の個体管理システム。
【請求項１６】
前記インレットには、軸方向に孔部又は溝部を形成してあることを特徴とする請求項１４又は１５に記載の個体管理システム。
【請求項１７】
前記インレットには、受精卵の個体識別情報及び受精卵に関する情報を記憶させることを特徴とする請求項１４乃至１６の何れか１に記載の個体管理システム。
【請求項１８】
前記インレットには、容器の種別コード及び色コードを記憶させることを特徴とする請求項１４乃至１７の何れか１に記載の個体管理システム。
【請求項１９】
前記卵子保存容器用ＩＣタグは、その表面を着色したものであることを特徴とする請求項１４乃至１８の何れか１に記載の個体管理システム。
【請求項２０】
前記卵子保存容器用ＩＣタグは、そのインレットを着色したものであることを特徴とする請求項１４乃至１９の何れか１に記載の個体管理システム。
【請求項２１】
前記卵子保存容器は、その表面にＩＤを印字、又は、ＩＤを印刷したラベルを貼着したものであることを特徴とする請求項１４乃至２０の何れか１に記載の個体管理システム。
【請求項２２】
前記卵子保存容器用ＩＣタグは、その表面にＩＤを印字、又は、ＩＤを印刷したラベルを貼着したものであることを特徴とする請求項１４乃至２１の何れか１に記載の個体管理システム。
【請求項２３】
前記キャニスタは、その掛止部にキャニスタ用ＩＣタグを吊下したものであることを特徴とする請求項９に記載の個体管理システム。
【請求項２４】
前記装置、機器、器具、容器は、さらに、精子保存容器を含むことを特徴する請求項９に記載の個体管理システム。
【請求項２５】
前記精子保存容器は、検体チューブであって、前記検体チューブは、その本体の脚部に検体チューブ用ＩＣタグを装着したものであることを特徴とする請求項２４に記載の個体管理システム。
【請求項２６】
前記精子保存容器は、精子保存用ストローであって、前記精子保存用ストローは、その薄肉パイプ内に精子保存用ストロー用ＩＣタグを装着したものであることを特徴とする請求項２４に記載の個体管理システム。
【請求項２７】
前記識別コード・ＩＣタグ読取装置は、延長アンテナを付設できることを特徴とする請求項１乃至２６の何れか１に記載の個体管理システム。
【請求項２８】
前記延長アンテナは、ＩＣタグを保持する保持部材と、この保持部材に嵌着したアンテナエレメントと、前記識別コード・ＩＣタグ読取装置に接続できる接続ケーブルと、から構成されることを特徴とする請求項２７に記載の個体管理システム。
【請求項２９】
前記アンテナエレメントは、円柱曲面形状を呈するものであることを特徴とする請求項２８に記載の個体管理システム。
【請求項３０】
前記延長アンテナは、コイルを巻回したアンテナエレメントと、前記識別コード・ＩＣタグ読取装置に接続できる接続ケーブルと、から構成されることを特徴とする請求項２７に記載の個体管理システム。
【発明の詳細な説明】
【技術分野】
【０００１】
本発明は、凍結保存する患者等の精子、卵子、受精卵等の生殖細胞、又、動物の精子、卵子、受精卵等の生殖細胞を個体管理するのに好適な個体管理システムに関する。
【背景技術】
【０００２】
近年、不妊治療において、体外受精、顕微授精等の治療が広く行われている。体外受精を実施した件数は、２００２年頃から急激に増加しており、２０１３年の実績では約３７万件、２０２０年には７０万件以上になると予想されている。又、２０１２年に体外受精で生まれた子供の割合は約２７人に１人となっている。
【０００３】
体外受精については、治療１周期で扱う卵子の数は５〜２０個程度であるが、女性の卵子と男性の精子を採取して、処理、受精、培養、保管及び移植を行う。その際、各患者の卵子、精子を正しく識別して、処理、受精、培養、保管及び移植を行わなければならず、勿論、取違い等は許されない。
【０００４】
近年、受精卵（胚）を凍結保存する技術が進歩し、新鮮胚と同等の妊娠率を得られることに加え、子宮への移植時期を柔軟に設定できるメリットが認められ、凍結胚を使った体外受精の割合が大幅に増大している。
卵子が受精した状態を受精卵と呼ぶが、この受精卵は、分割して２日後には４細胞期胚となり、さらに分割が進み、子宮に移植されることになる。
そして、これら移植の準備が整った状態の胚を凍結保存しておくのが、現在の不妊治療
の主流となりつつある。
【０００５】
凍結保存の際には、精子は、検体チューブ、ストロー等の精子保存容器に注入され、卵子や受精卵は、シート部を有するクライオトップ［株式会社北里サプライの登録商標］、ループ部を有するクライオループ等の卵子保存容器に保持される。
そして、精子保存容器、卵子保存容器をケーンに複数個保持し、それら精子保存容器等を保持した複数のケーンをキャニスタに保持させ、それら複数のキャニスタを凍結保存用タンク内に収納して保存している（特許文献１又は２を参照）。
ここで、凍結保存用タンク内には液体窒素を充填し、液相又は気相の雰囲気において対象物を−１９６℃の極低温下で凍結保存している。
【０００６】
従来は、将来において体外受精を実施するために、未授精卵を凍結保存することは許されていなかったが、最近になって、種々法制が改正されて、当該目的での未授精卵の凍結保存が許されるようになった。これによって、未婚の女性が自身の卵子を凍結保存しておくという案件も増大するものと予想されている。
【０００７】
上記のような凍結保存の際、従来は、精子保存容器、卵子保存容器、ケーン等の一端部等に、検体番号、患者氏名、採取日時等の情報データを人手で筆記したり、それら情報データを記載したラベルを貼着しておき、受精卵等を扱う胚培養士が、当該容器、器具の筆記個所又はラベルを目視で確認することによって、どの患者の精子、受精卵かを識別するようにしていた。
【０００８】
又、バーコードを印字したラベルを精子保存容器、卵子保存容器、ケーン等に貼着しておき、胚培養士がバーコードリーダによってバーコードを読み込むことで、どの患者の精子、卵子、受精卵かを識別することも行われていた。
【先行技術文献】
【特許文献】
【０００９】
【特許文献１】特開２０１５−０８９３９６号公報
【特許文献２】特開２０１６−０６７８０７号公報
【発明の概要】
【発明が解決しようとする課題】
【００１０】
上記の如く、精子保存容器、卵子保存容器、ケーン等の一端部等に、検体番号、患者氏名、採取日時等の情報データを人手で筆記したり、それら情報データを記載したラベルを貼着しておく方法では、胚培養士が当該容器、器具の筆記個所又はラベルを目視によって確認するため、見間違い、記憶違い等によって検体番号等を間違って、治療対象の検体を取り違える事態が発生する虞があった。
【００１１】
一方、精子保存容器、卵子保存容器、ケーン等はキャニスタに複数収納され、複数のキャニスタは液体窒素を満たした凍結保存用タンク内に収納され、−１９６°Ｃという環境下で保存されるため、凍結保存用タンクから取り出された際には、当該容器、器具又はラベルに霜等が付着し、それを剥ぎ取るか溶かさなければ当該容器、器具又はラベルの検体番号等を確認することができず、胚培養士が確認するのに時間がかかって、作業効率を低下させたり、人為的なミスによる間違い発生の要因となった。
【００１２】
バーコードを印字したラベルを貼着する場合にも、ラベルに霜等が付着するとバーコードが読み取れないので、それを削ぎ取るか擦って溶かす必要があり、その作業に時間がかかった。加えて、バーコードを貼着する部分が細く、面積が小さいため、細長いバーコードが印刷されたラベルを、読み取りができるように正確な位置に貼着する作業は、細かく難しい作業であった。
【００１３】
又、精子保存容器、卵子保存容器、ケーン等を凍結保存用タンクから取り出して、胚培養士が当該容器、器具又はラベルの検体番号等を確認するのに時間がかかると、その間は精子、受精卵等が常温状態に置かれることで、内部の温度が上昇し、変質し易くなり、結局、受精率、着床率を低下させる要因となった。
【００１４】
さらに、従来、卵子、精子の採取、処理、受精、培養、凍結保存、融解、移植等の作業を胚培養士が行った際には、記録用紙又はパーソナルコンピュータの記録画面に記入して記録するのであるが、治療を行う患者には治療の状況がタイムリーに明示されないため、患者は治療の途中経過を診察のタイミング以外では知る由が無かった。
【００１５】
本発明は、かかる問題点を解決するために為されたものであって、治療対象の精子、卵子、受精卵等を取り違える事態が発生するのを防止し、胚培養士の作業効率を大幅に向上させ、受精率、着床率の低下を抑え、治療における全作業を、作業対象物、作業内容、作業者、作業日時を含めて記録する、トレーサビリティ（履歴追跡可能性）を実現することができ、さらに、患者が治療の途中経過を容易に知ることができる、凍結保存する精子、卵子、受精卵等の生殖細胞を個体管理するのに好適な個体管理システムを提供することを目的とする。
【００１６】
類似する領域分野として、動物の精子、卵子、受精卵等を凍結保存することも広く一般的に行われている。この領域分野においても、同様の管理システムを採用するので、人間の体外受精の場合と同様な問題が存在している。
よって、本発明は、動物の精子、卵子、受精卵等の生殖細胞を個体管理するのに好適な個体管理システムを提供することをも目的とする。
【課題を解決するための手段】
【００１７】
上記目的を達成するために、本発明の個体管理システムは、施設内の適宜場所に設置したサーバと、複数のパーソナルコンピュータと、施設内の適宜場所で使用する識別コード読取装置と、識別コード・ＩＣタグ読取装置と、適宜対象物を凍結保存するために使用する装置、機器、器具、容器と、少なくとも前記装置、機器、器具、容器に付着した識別コード及び装着したＩＣタグと、から構成されることを特徴とする。
ここで、前記施設内の適宜場所にラベルプリンタを設置し、前記施設内に設置又は使用
する装置、機器、器具、容器は、施設内ネットワークで接続したことを特徴とする。
【００１８】
さらに、前記施設内ネットワークを、インターネットを介してクラウドサーバに接続し、前記施設を利用する者が、携帯情報端末装置によって前記クラウドサーバにアクセスできるようにするのが好ましい。
携帯情報端末装置は、例えば、携帯用電話機、スマートフォン又はタブレットコンピュータであって、これによれば、適宜時間及び場所において、前記施設を利用する者は、前記クラウドサーバにアクセスすることができる。
【００１９】
前記施設は、不妊治療、特に体外受精治療を実施する施設であることを特徴とする。又は、動物の生殖細胞の保存と管理を行う施設であってもよい。
そして、適宜対象物を液体窒素内で凍結保存する前記装置・機器、器具、容器は、少なくとも、凍結保存用タンクと、キャニスタと、ケーンと、卵子保存容器と、を含むことを特徴する。
【００２０】
前記ケーンは、その把持部にケーン用ＩＣタグを装着自在としたものであることを特徴とする。
前記ケーン用ＩＣタグは、ラッチ構造を有し、前記ケーンの把持部に差し込むと、そのラッチ部が噛み込み、ケーンの把持部から容易に外れないものであることが好ましい。
【００２１】
ここで、前記ケーン用ＩＣタグは、その表面を着色したものであってもよく、その表面にＩＤを印字、又は、ＩＤを印刷したラベルを貼着したものであってもよい。
【００２２】
前記卵子保存容器は、その杆状部の上端部に、被覆パイプ内にインレットを収納した卵子保存容器用ＩＣタグを装着したものであることを特徴とする。
ここで、被覆パイプは、その中間部の内径を前記卵子保存容器の杆状部の外接円直径よりも小としてあるのが好ましい。
又、インレットには、軸方向に孔部又は溝部を形成してあるのが好ましい。
【００２３】
前記インレットには、受精卵の個体識別情報及び受精卵に関する情報、又はその情報に紐付けたＩＤを記憶させることを特徴とする。
さらに、容器の種別コード及び色コードを記憶させるのが好ましい。
【００２４】
前記卵子保存容器用ＩＣタグは、その表面を着色したものであってもよく、そのインレットを着色したものであってもよい。
前記卵子保存容器は、その表面にＩＤを印字、又は、ＩＤを印刷したラベルを貼着したものであることが好ましい。
又、前記卵子保存容器用ＩＣタグは、その表面にＩＤを印字、又は、ＩＤを印刷したラベルを貼着したものであることが好ましい。
【００２５】
前記キャニスタは、その掛止部にキャニスタ用ＩＣタグを吊下したものであることを特徴とする。
【００２６】
前記装置、機器、器具、容器は、さらに、精子保存容器を含むことを特徴する。
【００２７】
前記精子保存容器は、検体チューブであって、前記検体チューブは、その本体の脚部に検体チューブ用ＩＣタグを装着したものであることを特徴とする。
【００２８】
前記精子保存容器は、精子保存用ストローであって、前記精子保存用ストローは、その薄肉パイプ内に精子保存用ストロー用ＩＣタグを装着したものであることを特徴とする。
【００２９】
前記識別コード・ＩＣタグ読取装置は、ＩＣタグの読み取りに便利なように、接続ケーブルを介して延長アンテナを付設できるのが好ましい。
前記延長アンテナは、ＩＣタグを保持する保持部材と、この保持部材に嵌着したアンテナエレメントと、識別コード・ＩＣタグ読取装置に接続できる接続ケーブルと、から構成されるものであってもよい。
ここで、アンテナエレメントは、円柱曲面形状を呈するものであってもよい。
【００３０】
又、前記延長アンテナは、コイルを巻回したアンテナエレメントと、前記識別コード・ＩＣタグ読取装置に接続できる接続ケーブルと、から構成されるものであってもよい。
【発明の効果】
【００３１】
本発明の個体管理システムによれば、胚培養士は、目視ではなく、識別コード・ＩＣタグ読取装置によってＩＤ又は情報を読み取るから、人為的な見間違い、記憶違い等によって、精子ＩＤ又は卵子ＩＤ等を間違って、治療対象の精子又は卵子を取り違える事態は発生しない。
【００３２】
又、精子保存容器、卵子保存容器、ケーン等を凍結保存用タンクから取り出した際に、その表面に霜等が付着していても、霜等を取り除かなくともＩＤ又は検体番号等を確認することができ、胚培養士の作業効率を大幅に向上させることができる。
【００３３】
又、精子保存容器、卵子保存容器、ケーン等を凍結保存用タンクから取り出し、胚培養士が対象物のＩＤ等を確認するまでに時間を殆ど要しないから、その間に精子、受精卵等が変質することはなく、結局、受精率、着床率を大幅に向上させることができる。
又、使用するＩＣタグは、−１９６℃の環境下においても動作可能であるので、対象物を凍結保存用タンクに挿入した状態のままで、データを読み取ることもできる。
【００３４】
さらに、卵子、精子の採取、処理、受精、培養、凍結保存、融解、移植等の作業を行った際には、パーソナルコンピュータに情報を入力して記録することにしたから、患者は、携帯用電話機等によって、それら情報の中から許可された治療の状況を適宜確認できて、治療の信頼性と患者の満足度を高めることに繋がる。
【００３５】
又、治療における全作業を、作業対象物、作業内容、作業者、作業日時を含めて記録する、トレーサビリティ（履歴追跡可能性）を実現し、治療の過程の可視化を実現することによって、治療の安全性を向上し、保証することができる。
【００３６】
これによって、胚培養士の処理能力、作業能力が明確になり、受精卵の個体差による培養方法や培養液の有効性等の統計情報を蓄積、分析することができ、治療の有効性も判明して、体外受精における妊娠率を大幅に改善することが期待できる。
【００３７】
上記のように、本発明の個体管理システムによれば、動物の精子、卵子、受精卵等を凍結保存する場合にも、同様の効果を発揮することができる。
【図面の簡単な説明】
【００３８】
【図１】本発明の個体管理システムの概略構成図である。
【図２】本発明の個体管理システムのネットワーク図である。
【図３】ディッシュの（Ａ）は斜視図、（Ｂ）は平面図である。
【図４】受精卵の培養状況を示す説明図である。
【図５】液体窒素を満たした凍結保存用タンク内において、精子、卵子、受精卵等を凍結保存する状態を示す（Ａ）は正面図、（Ｂ）は断面図である。
【図６】キャニスタの正面図である。
【図７】ケーン及び卵子保存容器の正面図である。
【図８】卵子保存容器の一実施形態の斜視図である。
【図９】卵子保存容器及び保護用スリーブの斜視図である。
【図１０】卵子保存容器用ＩＣタグにおけるインレット装着部の（Ａ）は正面図、（Ｂ）は断面図である。
【図１１】卵子保存容器の杆状部にＩＤを印刷した状態を示す正面図である。
【図１２】卵子保存容器の杆状部にＩＤを印刷したラベルを貼着した状態を示す斜視図である。
【図１３】卵子保存容器用ＩＣタグの被覆パイプにＩＤを印刷した状態を示す正面図である。
【図１４】卵子保存容器用ＩＣタグの被覆パイプにＩＤを印刷したラベルを貼着した状態を示す正面図である。
【図１５】卵子保存容器の他実施形態の正面図である。
【図１６】図１５に示すＩＣタグを構成する薄肉パイプを成形する治具の（Ａ）は分離した状態の正面図、（Ｂ）は連結した状態の縦断面図である。
【図１７】図１５に示すＩＣタグを構成する薄肉パイプを成形する方法を示す説明図である。
【図１８】図１５に示すＩＣタグを構成する薄肉パイプを成形する方法を示す説明図である。
【図１９】ケーン及びケーン用ＩＣタグの斜視図である。
【図２０】ケーン用ＩＣタグの（Ａ）は下方から視た斜視図、（Ｂ）は上方から視た斜視図である。
【図２１】ケーン用ＩＣタグの表面部にＩＤを印刷した状態を示す斜視図である。
【図２２】ケーン用ＩＣタグの表面部にＩＤを印刷したラベルを貼着した状態を示す斜視図である。
【図２３】検体容器の断面図である。
【図２４】ケーンに複数の検体容器を保持した状態を示す斜視図である。
【図２５】従来のストローの正面図である。
【図２６】ストロー用ＩＣタグを装着したストローの正面図である。
【図２７】識別コード・ＩＣタグ読取装置の斜視図である。
【図２８】図２７に示す識別コード・ＩＣタグ読取装置に付設する延長アンテナの一実施形態の（Ａ）は使用状態図、（Ｂ）は要部拡大図である。
【図２９】図２７に示す識別コード・ＩＣタグ読取装置に付設する延長アンテナの他実施形態の使用状態図である。
【図３０】図２７に示す識別コード・ＩＣタグ読取装置に付設する延長アンテナの概略構成図である。
【図３１】図２７に示す識別コード・ＩＣタグ読取装置に付設する延長アンテナの他実施形態の（Ａ）は正面図、（Ｂ）は斜視図である。
【図３２】図２７に示す識別コード・ＩＣタグ読取装置に付設する延長アンテナの他実施形態の（Ａ）は正面図、（Ｂ）は斜視図である。
【発明を実施するための形態】
【００３９】
以下、本発明の個体管理システムの好適な実施形態について、体外受精に適用した場合について、図面を参照しつつ詳細に説明する。
【００４０】
本発明の個体管理システムは、図１に示すように、事務室１内に設置したサーバ１１、プリンタ１２、パーソナルコンピュータ１３と、事務室１内において使用する識別コード読取装置１４と、診察室２内に設置したパーソナルコンピュータ２１と、診察室２内において使用する識別コード読取装置２２と、検査・処理室３内に設置したラベルプリンタ３１と、検査・処理室３内において使用するタブレットコンピュータ３３、識別コード読取装置３４と、保管室４内に配置した凍結保存用タンク４１、凍結保存用タンク４１内に収納されるキャニスタ４２、ケーン４３、卵子保存容器４４等の装置、機器、器具、容器と、保管室４内において使用する識別コード・ＩＣタグ読取装置４７と、から構成される。
【００４１】
そして、本発明の個体管理システムは、図２に示すように、これら施設内に設置又は使用する装置、機器、器具、容器を施設内ネットワーク５で接続してある。
さらに、インターネット６を介してクラウドプロバイダ７に設置されたクラウドサーバ７１に接続して、システムを運用できるようになっている。
この場合、体外受精を受ける患者は、所定の条件下で、自身が使用する携帯用電話機、スマートフォン、タブレットコンピュータ等の携帯情報端末装置８１によって、クラウドサーバ７１から所定の情報を閲覧できるようになっている。
【００４２】
本発明の個体管理システムにおいては、ＩＣタグを装着した多種類の装置、機器、器具、容器を使用する。又、本発明の個体管理システムによる管理対象を人間の生殖細胞のみならず、動物の生殖細胞にも拡大して適用する場合には、さらに多種類のＩＣタグを装着した装置、機器、器具、容器を使用することになる。
そこで、ＩＣタグを装着する装置、機器、器具、容器の種別、ＩＣタグの表面等に着色する色彩等の属性を含む情報をＩＣタグ内に記憶させておくようにする。このような属性情報を個体管理システムにおいて種々作業をする際に利用することによって、システムの効率と使い勝手を大幅に向上させることができる。
ＩＣタグ内に記憶させる属性情報の具体例を表１及び２に示す。
【００４３】
【表１】
2018042693.tif 000003
【００４４】
【表２】
2018042693.tif 000004
【００４５】
次に、体外受精の治療手順に従って、上記装置、機器、器具、容器の具体的な構成、機能について説明する。
【００４６】
体外受精を実施することが決定すると、事務担当者は、パーソナルコンピュータ１３に患者番号（ＩＤ）、患者氏名等を入力して、患者情報をディスプレイに表示させ、所定の操作を行うことによって、採卵指示書を作成し、プリンタ１２によって、採卵指示書を印刷する。
個体管理システムが電子カルテシステムと連携している場合には、パーソナルコンピュータ１３に患者番号（ＩＤ）を入力することによって、必要な患者情報を電子カルテシステムから受信することができる。
尚、採卵指示書には、患者番号（ＩＤ）、患者氏名、指示書番号等が印字されていると共に、これら情報に紐付けた２次元コードが印刷されている。
【００４７】
体外受精の処置である採卵の予定が決まると、担当者は、事前に処置に使用する容器を揃えると同時に、ラベルプリンタ３１によって、ラベルに、患者番号（ＩＤ）、患者氏名を印字すると共に、患者番号（ＩＤ）、患者氏名、指示書番号、容器番号（ＩＤ）の情報を保有した２次元コードを印刷する。
このラベルは、容器に貼着するためのラベルであって、使用する容器の数だけ事前に印刷し、容器に貼着する。
又、患者の手首に巻き付けるリストバンドに貼着するラベルをも印刷し、リストバンドの適宜個所に貼着する。そして、採卵を行う当日は、本人であることを確認の上、患者にリストバンドを装着させる。
【００４８】
次に、診察室２において、看護師等は、指示書と予めラベルを貼った採卵容器のラベルと患者のリストバンドの２次元コードを識別コード読取装置２２によって読み取り、間違いがないことを確認する。
【００４９】
診察室２において、医師等は、患者から卵胞を採取して、その卵胞を上記のように確認した採卵容器内に挿入する。その後直ちに、看護師等は、卵胞を挿入した採卵容器と指示書を胚培養士に引き渡す。
【００５０】
次に、検査・処理室３において、胚培養士は、受け取った採卵容器から卵胞を取り出して、卵子の個数を確認する。
そして、指示書、採卵容器に貼着されたラベルに印刷された２次元コードを識別コード読取装置３４によって読み取って、患者と採卵容器とを確認した上で、タブレットコンピュータ３３によって、卵子の個数を入力し、記録する。
尚、個数を確認した卵子を別の容器に移動する場合には、元の容器の２次元コードと移動先の容器の２次元コードとを読み、タブレットコンピュータ３３に移動する卵子の個数を入力し、移動作業を記録する。
これらの情報は、施設内ネットワーク５を介して、事務室１内に設置したサーバ１１に送信され、サーバ１１内に記憶される。
【００５１】
これによって、施設内ネットワーク５を介し、事務室１内に設置したサーバ１１に記憶された情報を診察室２に設置したパーソナルコンピュータ２１から閲覧することで、医師等は、卵子の個数や状態を確認することができる。
【００５２】
次に、胚培養士は、検査・処理室３において、卵子に対して各種処理を実行し、処理後の卵子を保存容器に入れ、培養器内において保存する。
これらの作業においても、保存容器の２次元コードを読み取ることによって、卵子の保存場所等の記録及び管理を行うことができる。
【００５３】
受精の処置が決定すると、通常の場合は、卵子に精子を振り掛けて受精させるコンベンショナル体外受精（ＩＶＦ）を実施する。
又、卵子の卵細胞質内にマイクロピペットによって精子を注入して受精させる顕微授精（ＩＣＳＩ）を実施する場合もある。
【００５４】
その後、培養器内において、図３に示すように、受精卵をディッシュ３２内において培養液で培養すれば、図４に示すように、２〜３日経過後には４又は８に細胞分裂した分割胚になる。さらに培養を続けると、５〜６日経過後には内細胞塊の存在が認められる胚盤胞に発達する。
尚、受精後は、卵子ＩＤと容器の２次元コードを個体単位で紐付け、受精卵の個体管理を行う。
【００５５】
この過程で、胚培養士は、ディッシュ３２に貼着されたラベル３２ａに印刷された２次元コードを識別コード読取装置３４によって読み取って対象となる受精卵を特定し、タブレットコンピュータ３３によって、受精卵の培養状況を記録する。
【００５６】
これによって、施設内ネットワーク５を介して、サーバ１１内に受精卵の培養状況に関する情報が転送、記憶される。
従って、サーバ１１にアクセスすることによって、診察室２に設置されたパーソナルコンピュータ２１、事務室１に設置されたパーソナルコンピュータ１３からその情報を閲覧することができる。
【００５７】
次に、医師等は、診察室２において、２〜３日培養後の４又は８に細胞分裂した分割胚を母体に戻す初期胚移植を実施する。又は、５〜６日培養後の、内細胞塊の存在が認められる胚盤胞を母体に戻す胚盤胞移植を実施する。
【００５８】
この過程で、医師等は、ディッシュ３２に貼着されたラベル３２ａに印刷された２次元コードを識別コード読取装置２２によって読み取って対象となる受精卵を特定した上で、パーソナルコンピュータ２１に移植情報を入力する。
【００５９】
これによって、施設内ネットワーク５を介して、診察室２に設置されたパーソナルコンピュータ２１からサーバ１１に受精卵の移植情報が転送され、記憶される。
【００６０】
受精卵を凍結保存する場合には、移植を実施することが可能となった状態の受精卵を凍結保存することになる。
採卵による母体の負担を軽減するため、１回の採卵で複数回の体外受精を行えるだけの個数の卵子を採取するようにする。そして、胚移植複数回分の受精卵を凍結保存しておくことによって、排卵促進剤の影響等で採卵した周期の子宮環境が移植に適さない時に移植せず、母体の状態が元に戻った次周期以降に移植することによって、着床率を高め、妊娠率を高めるようにする。
【００６１】
凍結保存において使用される装置、機器、器具、容器は、図５乃至図８に示すように、凍結保存用タンク４１、キャニスタ４２、ケーン４３、検体チューブ４４、卵子保存容器４５、保護用スリーブ４６等である。
【００６２】
凍結保存用タンク４１は、図５に示すように、本体、外蓋、内蓋とから構成され、凍結保存用タンク４１内には−１９６°Ｃの液体窒素ＬＮが充填される。
凍結保存用タンク４１内には６〜１２個程度のキャニスタ４２が放射状に吊下、保持され、１個のキャニスタ４２内には１０〜２０個程度のケーン４３が保持される。
【００６３】
キャニスタ４２は、図６に示すように、円筒部４２ａ，杆状部４２ｂ、掛止部４２ｃ、キャニスタ用ＩＣタグ４２ｄとから構成される。
円筒部４２ａ内には複数個のケーン４３を挿入でき、掛止部４２ｃを凍結保存用タンク４１の内蓋に掛止して、凍結保存用タンク４１内に保持できるようになっている。
【００６４】
ケーン４３は、図７及び図１９に示すように、杆状部４３ａ、保持部４３ｂ、把持部４３ｃ、ケーン用ＩＣタグ４３ｄとから構成される。
保持部４３ｂには、複数本の卵子保存容器４５を収納できる検体チューブ４４を嵌着、保持できるようになっており、卵子保存容器４５を液体窒素ＬＮ内に保持できるようになっている。
【００６５】
ケーン用ＩＣタグ４３ｄは、図２０（Ａ）に示すように、差し込み構造としたものであって、図２２（Ａ）に示すように、タグケース４３１と、このタグケース４３１の嵌着孔４３１ａに嵌着されるフレックスＩＣタグ４３２と、タグケース４３１に巻き付けたラベル４３３と、から構成される。
【００６６】
又、図２０（Ｂ）に示すように、タグケース４３１には挿入溝部４３１ｂを形成してあり、この挿入溝部４３１ｂの両側部には係合爪部４３１ｃ，４３１ｃを形成してある。
そして、挿入溝部４３１ｂ及び係合爪部４３１ｃ，４３１ｃによって、いわゆるラッチ構造を構成してある。
【００６７】
図１９に示すように、ケーン用ＩＣタグ４３ｄの挿入溝部４３１ｂにケーン４３の把持部４３ｃを挿入することによって、図２４に示すように、ケーン用ＩＣタグ４３ｄを把持部４３ｃに装着することができる。
ここで、ケーン４３の把持部４３ｃをケーン用ＩＣタグ４３ｄの挿入溝部４３１ｂに一旦差し込むと、係合爪部４３１ｃ，４３１ｃが噛み込むので、把持部４３ｃからケーン用ＩＣタグ４３ｄが容易に脱落することはない。
【００６８】
又、ＩＣタグ４３ｄの外装材には所定の着色をしてあり、これによっても、ケーン４３を識別できるようになっている。色分けの方法としては、単色によって色分けする他、複数色を使用して色分けしてもよい。又、色模様のパターンを形成して識別するようにしてもよい。
尚、限られた色数しかなく、色が重複する場合を考慮して、図２１に示すように、ケーン用ＩＣタグ４３ｄの外装材の表面にＩＤを直接印刷し、又は、図２２に示すように、外装材の表面にＩＤを印刷したラベルを貼着して、識別するようにしてもよい。
【００６９】
卵子又は受精卵を保存する卵子保存容器４５は、図８に示すように、四角柱状の杆状部４５ａと、合成樹脂製の保持板４５ｂと、から構成される。
保持板４５ｂの先端部に少量の保存液と共に受精卵を載置させ、液体窒素中で急速凍結した後、図９に示すように、卵子保存容器４５を保護用スリーブ４６に収容する。
この保存方法は、ガラス化法と呼ばれており、保存液ごとガラス化（氷晶形成せず、無結晶のガラス状の固体となる現象）させることにより、細胞を傷付けることなく凍結保存することが可能なため、受精卵の凍結保存方法の主流となっている。
【００７０】
卵子保存容器４５の杆状部４５ａの上端部には、図８に示すように、卵子保存容器用ＩＣタグ４５ｃを装着してある。
卵子保存容器用ＩＣタグ４５ｃは、図１０に示すように、合成樹脂製の被覆パイプ５２内に微小径である円筒状のインレット５１を収納し、構成してある。
そして、被覆パイプ５２内に樹脂又は充填剤を充填することによって、卵子保存容器用ＩＣタグ４５ｃを杆状部４５ａの上端部に固定、装着してある。
【００７１】
卵子保存容器４５を凍結保存用タンク４１内に挿入し、−１９６℃の液体窒素ＬＮ環境下に保持しておいた後、凍結保存用タンク４１から取り出し、２０℃の常温環境下におくと、卵子保存容器４５の杆状部４５ａの上端部と卵子保存容器用ＩＣタグ４５ｃとの間隙に侵入した液体窒素ＬＮが気化し、急激に体積を膨張させて窒素ガスＮ２となる。
これによって、卵子保存容器用ＩＣタグ４５ｃに過大な圧力が負荷され、杆状部４５ａから卵子保存容器用ＩＣタグ４５ｃが飛び出す虞がある。
【００７２】
そこで、本発明では、図１０に示すように、卵子保存容器用ＩＣタグ４５ｃのインレット５１に軸方向に孔部Ａ又は溝部Ｂを形成してある。
よって、液体窒素ＬＮが気化し、急激に体積を膨張させて窒素ガスＮ２となっても、窒素ガスＮ２は、この孔部Ａ又は溝部Ｂを通過して放出されるから、杆状部４５ａから卵子保存容器用ＩＣタグ４５ｃが飛び出す虞はない。
【００７３】
図１０に示すように、卵子保存容器用ＩＣタグ４５ｃの被覆パイプ５２の周側面にガス抜き用の孔部Ｃを形成してもよく、軸方向に細長いスリットを形成してもよい。
このような構成によっても、上記と同様の作用、効果を奏することができる。
【００７４】
又、杆状部４５ａには所定の着色をしてあり、これによっても、卵子保存容器４５を識別できるようになっている。
さらに、卵子保存容器用ＩＣタグ４５ｃの被覆パイプ５２又はインレット５１に所定の着色をしておけば、杆状部４５ａの着色との組み合わせによって、多数の対象物を目視により識別することができる。
【００７５】
図１１に示すように、卵子保存容器用４５の杆状部４５ａの表面にＩＤを直接印刷し、又は、図１２に示すように、杆状部４５ａの表面にＩＤを印刷したラベルを貼着して、識別するようにしてもよい。
又、図１３に示すように、卵子保存容器用ＩＣタグ４５ｃの被覆パイプ５２の表面にＩＤを直接印刷し、又は、図１４に示すように、被覆パイプ５２の表面にＩＤを印刷したラベルを貼着して、識別するようにしてもよい。
これによれば、ＩＣタグ４５ｃが故障してＩＤが読めない場合や、ＩＣタグ４５ｃが外れてしまった場合でも、前記の印字されたＩＤを目視で読むことによって、保存容器に保存された対象物の情報を復元することが可能になる。
【００７６】
卵子保存容器用ＩＣタグ６５の他実施態様は、図１５に示すように、合成樹脂製の薄肉パイプ６６と、薄肉パイプ６６に内装したインレット５１と、インレット５１を両側から固定する固定部材５２，５２と、から構成される。
そして、図１５に示すように、薄肉パイプ６６の開口部６６ａ及び閉鎖部６６ｃの内径を卵子保存容器６１の杆状部６２の外接円直径と略同一とし、中間部６６ｂの内径を杆状部６２の外接円直径より若干小としてある。
【００７７】
卵子保存容器用ＩＣタグ６５はこのような構成であるから、ＩＣタグ６５を卵子保存容器６１の杆状部６２に挿入するのは容易であり、さらに、杆状部６２に押し込むことによって、中間部６６ｂが杆状部６２を締め付け、ＩＣタグ６５を強固に杆状部２に固定することができる。
【００７８】
このような薄肉パイプ６６は、図１６に示す成形治具２０１を使用して成形することができる。尚、薄肉パイプ６６の材料としては、熱収縮性を有する材料を選択する。
成形治具２０１は、図１６に示すように、治具本体２０２と治具頭体２０３とから構成されており、治具本体２０２の先端突部２０２ａに治具頭体２０３の嵌合穴部２０３ａを差し込み、嵌合するようになっている。
【００７９】
そして、治具本体２０２の中間杆部２０２ｂの外径を卵子保存容器６１の杆状部６２の外径より若干小とし、基端杆部２０２ｃの外径を卵子保存容器６１の杆状部６２の外径と略同一としてある。
又、治具頭体２０３の先端杆部２０３ｂの外径を卵子保存容器６１の杆状部６２の外径と略同一としてある。
【００８０】
先ず、図１７（Ａ）に示すように、成形前の外径が卵子保存容器６１の杆状部６２の外径と略同一である素材パイプ６７を治具本体２０２の基端杆部２０２ｃまで挿入し、次いで、図１７（Ｂ）に示すように、治具頭体２０３の先端杆部２０３ｂを素材パイプ６７の一端開口から挿入し、嵌合穴部２０３ａを先端突部２０２ａと嵌合させる。
【００８１】
次に、素材パイプ６７に所定温度の熱を付加すれば、図１８（Ａ）に示すように、素材パイプ６７の中間部６７ａが収縮し、成形治具２０１の形状に倣うように成形される。次いで、治具本体２０２と治具頭体２０３とを分離させれば、図１８（Ｂ）に示すように、
中間部６６ｂが小径の薄肉パイプ６６を成形することができる。
【００８２】
従来、精子を凍結保存するために使用される精子保存容器としては、検体チューブ、精子保存用ストロー等が知られている。
【００８３】
従来の検体チューブ７１は、チューブ本体７２と、チューブ本体７２に螺着するキャップ７３と、から構成される。
【００８４】
本発明の検体チューブ７６は、図２３に示すように、チューブ本体７２の脚部７２ａに検体チューブ用ＩＣタグ７４を装着して構成される。
尚、キャップ７３にＩＣタグ７４を装着することもできる。
【００８５】
そして、図２４に示すように、検体チューブ用ＩＣタグ７４を装着した複数の検体チューブ７６，７６，・・・は、ケーン４３に嵌めて保管される。
【００８６】
従来の精子保存用ストロー８１は、図２５に示すように、合成樹脂製の薄肉パイプ８２と、この薄肉パイプ８２の一端部に装填される綿栓８３，８３と、この綿栓８３，８３の間に装填される吸水体８４と、から構成される。
そして、薄肉パイプ８２のＢ端から空気を吸引しながらＡ端から精子を注入し、液面が８５のラインに到達した時に注入を停止する。
その後、薄肉パイプ８２の他端部を熱圧着又は超音波圧着することによって、封止部８６を形成して、薄肉パイプ８２を密閉する。
【００８７】
本発明の精子保存用ストロー９１は、図２６に示すように、精子保存用ストロー８１の構成要素である外側の綿栓８３の中にＩＣタグ９２を包含させたものである。
ＩＣタグ９２を包含させたことにより、通気を阻害しないようにＩＣタグ９２を保持している。
【００８８】
保管室４においては、胚培養士は、作業時に図２７に示すような識別コード・ＩＣタグ読取装置４７を携帯している。
そして、受精卵の凍結保存を開始する際、保存状態を確認する際、融解作業を行う際、凍結保存を終了（廃棄）する際等において、識別コード・ＩＣタグ読取装置４７のアンテナ部４７ａをケーン４３、卵子保存容器４５に装着したケーン用ＩＣタグ４３ｄ、卵子保存容器用ＩＣタグ４５ｃに近接させて、ケーン用ＩＣタグ４３ｄ、卵子保存容器用ＩＣタグ４５ｃ内に記憶させたＩＤ、患者情報、保存情報を読み取る。
ケーン用ＩＣタグ４３ｄ、卵子保存容器用ＩＣタグ４５ｃには、データベースに格納した情報を取り出すための紐付けＩＤを記録しておく。又は、患者情報、卵子に関する情報、保存情報を記録しておいてもよい。
又、作業に使用するその他の容器には、２次元コードを印刷したラベルが貼られており、
収納されている卵子を移動する際に、それぞれの容器の２次元コードを読み取ることで、
卵子（卵子ＩＤ）の保存場所の移動を管理している。
【００８９】
ここで、ケーン４３に装着したケーン用ＩＣタグ４３ｄは比較的に外径寸法が大きいため、識別コード・ＩＣタグ読取装置４７を近接させることによって、容易に読み取ることができるが、卵子保存容器４５に装着した卵子保存容器用ＩＣタグ４５ｃは微小な外径寸法であるため、識別コード・ＩＣタグ読取装置４７を当接させても、読み取ることができない虞がある。
又、識別コード・ＩＣタグ読取装置４７のアンテナ部４７ａは、識別コード・ＩＣタグ読取装置４７の前面側又は背面側に配置されているため、アンテナ部４７ａの位置にケーン用ＩＣタグ４３ｄを合致させるようにして読み取る必要があり、読み取り作業に時間がかかる。
【００９０】
そこで、本発明では、識別コード・ＩＣタグ読取装置４７に延長アンテナ４８を付設できるようにしてある。
延長アンテナ４８は、図２８に示すように、保持部材４８ａと、アンテナエレメント４８ｂと、接続ケーブル４８ｃと、挟持部材４８ｄと、から構成してある。
【００９１】
保持部材４８ａは、その先端部に卵子保存容器４５の卵子保存容器用ＩＣタグ４５ｃを嵌合、保持する嵌合溝を形成すると共に、後端部にピンセット４９等の保持用具の先端部を嵌合、挿入する嵌入孔を形成してある。
アンテナエレメント４８ｂは、保持部材４８ａの先端部の内側に嵌着してあり、その一端部から接続ケーブル４８ｃを延出してある。
挟持部材４８ｄは、その後端部にピンセット４９等の保持用具の先端部を嵌合、挿入する嵌入孔を形成してある。
【００９２】
図２８（Ａ）に示すように、保持部材４８ａの嵌入孔及び挟持部材４８ｄの嵌入孔に、ピンセット４９の両先端部を嵌入し、保持部材４８ａの嵌合溝に卵子保存容器４５の卵子保存容器用ＩＣタグ４５ｃを嵌合させる。
そして、ピンセット４９の先端部を閉鎖させ、保持部材４８ａと挟持部材４８ｄとによって卵子保存容器用ＩＣタグ４５ｃを挟持すれば、アンテナエレメント４８ｂはＩＣタグ４５ｃから電磁エネルギを受信することができる。
その電磁エネルギは、図３０に示す共振・整合回路４８ｅを通った後、接続ケーブル４８ｃを介して識別コード・ＩＣタグ読取装置４７のアンテナ部４７ａに伝送されるから、識別コード・ＩＣタグ読取装置４７によって、ＩＣタグ４５ｃに格納した情報データを読み取ることができる。
【００９３】
又、平面状を呈するアンテナエレメント４８ｂではなく、図３１に示すような薄肉円筒曲面状に湾曲したアンテナエレメント１０１を採用してもよい。
アンテナエレメント１０１は、薄肉円筒曲面板１０２にコイルの巻線を貼着したものであって、縦方向エレメント１０３，１０４及び横方向エレメント１０５，１０６を構成してある。
【００９４】
図３１に示すように、縦方向エレメント１０３，１０４からは磁束１０３Ａ，１０４Ａが、横方向エレメント１０６からは磁束１０６Ａが伸びるため、アンテナエレメント１０１の内側に位置したインレットのアンテナには種々方向から磁束が横切る状態となる。
よって、ＩＣタグ４５ｃのインレットのアンテナの向きがどの方向であろうとも、読み取り性能が低下することはない。
【００９５】
図３２に示すように、薄肉円筒曲面状を呈するアンテナエレメント１０１の内側に平面状を呈する基板積層型のインレット１１１を配置すれば、インレット１１１のアンテナには種々方向から磁力線が横切ることになる。
よって、基板積層型のインレット１１１に対しても、十分な読み取り性能を確保することができる。
【００９６】
ケーン用ＩＣタグ４３ｄを読み取るためには、識別コード・ＩＣタグ読取装置４７に、図２９に示すような延長アンテナ５１を付設するようにしてもよい。
延長アンテナ５１は、図２９に示すように、アンテナエレメント５１ａと、接続ケーブル５１ｂと、から構成してある。
ここで、接続ケーブル５１ｂは、図３０に示す共振・整合回路４８ｅを通った後、識別コード・ＩＣタグ読取装置４７のアンテナ部４７ａに電磁的に結合される。
【００９７】
この延長アンテナ５１によれば、延長アンテナ５１の先端部を液体窒素中に入れることができるので、凍結保存用タンク４１内に掛止したキャニスタ４２内にケーン４３を保持した状態で、液体窒素から取り出さなくとも、ケーン用ＩＣタグ４３ｄを読み取ることができる。
【００９８】
以上のようにして、延長アンテナ４８，５１によって読み取られた卵子保存容器用ＩＣタグ４５ｃ、ケーン用ＩＣタグ４３ｄに記憶された情報は、施設内ネットワーク５を介して、事務室１に設置されたサーバ１１に転送され、記憶される。
事務室に設置されたパーソナルコンピュータ１３、診察室２に設置されたパーソナルコンピュータ２１によって、サーバ１１から情報を受け取ることによって、担当事務員、医師、胚培養士等は、適宜、患者情報、卵子情報、保存情報を確認することができる。
【００９９】
一方、サーバ１１は、施設内ネットワーク５に接続してあると共に、インターネット６を介してクラウドサーバ７１にも接続してあるから、患者は、自己の保有する携帯情報端末装置８１を使用して、クラウドサーバ７１にアクセスすることによって、自己の治療情報を取得することができる。
【０１００】
ここで、患者情報、保存情報等は極めて重要な個人情報であるから、患者が自己以外の患者情報、保存情報等を取得できないように管理を厳重に行わなければならない。
そこで、患者は、クラウドサーバ７１にアクセスする権限の付与を個体管理システムの管理者に申請し、管理者は、厳格な審査を行った上で、当該患者にアクセスする権限を付与するべきである。又、患者がアクセスできる情報の種類について制限する必要もある。そして、当該患者に固有の識別番号、パスワードを入力しなければ、アクセスできないようにするべきである。
データ通信には、ＨＴＴＰＳ等のＳＳＬ／ＴＬＳプロトコルを採用して、クラウドサーバ７１に対する認証、通信内容の暗号化、改鼠検出等の処理を実行するのが好ましい。通信本文の内容についても、一般的な暗号化処理を実行し、情報が他者に漏れないような手段を講じるべきである。
【０１０１】
本発明の個体管理システムは、精子保存容器、卵子保存容器、ケーン等にＩＤ、検体番号、患者氏名、採取日時等を記憶させたＩＣタグを装着し、又、その他の容器にも２次元コードを貼り付け、胚培養士が識別コード・ＩＣタグ読取装置によってそれら情報を読み取るようにしたものであるから、人為的な見間違い、記憶違い等によって検体番号等を間違って、治療対象の検体を取り違える事態は発生しない。
【０１０２】
又、精子保存容器、卵子保存容器、ケーン等を凍結保存用タンクから取り出した際に、その表面に霜等が付着していても、識別コード・ＩＣタグ読取装置によって情報を読み取れるから、霜等を取り除かなくともＩＤ、検体番号等を確認することができ、胚培養士の作業効率を大幅に向上させることができる。
又、バーコードを印刷したラベルを容器に貼り付けて管理を行う場合にも、狭い貼り付け個所に注意深くラベルを貼るという作業は不要になる。
【０１０３】
又、精子保存容器、卵子保存容器、ケーン等を凍結保存タンクから取り出し、胚培養士がＩＤ、検体番号等を確認するまでに時間を殆ど要しないから、又は、液体窒素から取り出す必要がなくなるから、その間に精子、受精卵等が変質することは殆どなく、結局、受精率、着床率を大幅に向上させることができる。
【０１０４】
さらに、本発明の個体管理システムにおいては、卵子、精子の採取、処理、受精、培養、保存、移植等の作業を胚培養士が行った際には、パーソナルコンピュータの記録画面に情報を入力して記録することにしたから、患者は、携帯用電話機等によって、それら情報を適宜確認することができ、治療の信頼性を高めることに繋がる。
【０１０５】
以上の効果として、胚培養士の処理能力、作業能力が明確になり、受精卵の個体差による培養液の有効性も判明して、これらを改善することによって、不妊治療における妊娠率を大幅に改善することが期待できる。
【０１０６】
尚、以上説明した本発明の個体管理システムの構成は、好適な実施形態を説明したものであって、本発明の要旨を逸脱しない限りにおいて、種々の構成、装置、器具を適用することができる。
【０１０７】
又、本発明の個体管理システムについて、体外受精を実施する施設に適用する場合について説明したが、人間の場合に限定されず、牛、馬等の動物に関する精子、卵子等の凍結保存や体外受精を実施する場合についても適用することができる。
【符号の説明】
【０１０８】
１  事務室
１１  サーバ
１３  パーソナルコンピュータ
１４  識別コード読取装置
２  診察室（処置室）
２１  パーソナルコンピュータ
２２  識別コード読取装置
３  検査・処理室
３１  ラベルプリンタ
３３  タブレットコンピュータ
３４  識別コード読取装置
４  保管室
４１  凍結保存用タンク
４３  ケーン
４３ｃ  掛止部
４３ｄ  ＩＣタグ
４５  卵子保存容器
４５ａ  杆状部
４５ｃ  ＩＣタグ
４７  識別コード・ＩＣタグ読取装置
４８  延長アンテナ
４８ａ  保持部材
４８ｂ  アンテナエレメント
４８ｃ  接続ケーブル
４８ｄ  挟持部材
５１  延長アンテナ
５１ａ  アンテナエレメント
５１ｂ  接続ケーブル
５  施設内ネットワーク
６  インターネット
７１  クラウドサーバ
８１  携帯情報端末装置
【図１】
2018042693.tif 000005
【図２】
2018042693.tif 000006
【図３】
2018042693.tif 000007
【図４】
2018042693.tif 000008
【図５】
2018042693.tif 000009
【図６】
2018042693.tif 000010
【図７】
2018042693.tif 000011
【図８】
2018042693.tif 000012
【図９】
2018042693.tif 000013
【図１０】
2018042693.tif 000014
【図１１】
2018042693.tif 000015
【図１２】
2018042693.tif 000016
【図１３】
2018042693.tif 000017
【図１４】
2018042693.tif 000018
【図１５】
2018042693.tif 000019
【図１６】
2018042693.tif 000020
【図１７】
2018042693.tif 000021
【図１８】
2018042693.tif 000022
【図１９】
2018042693.tif 000023
【図２０】
2018042693.tif 000024
【図２１】
2018042693.tif 000025
【図２２】
2018042693.tif 000026
【図２３】
2018042693.tif 000027
【図２４】
2018042693.tif 000028
【図２５】
2018042693.tif 000029
【図２６】
2018042693.tif 000030
【図２７】
2018042693.tif 000031
【図２８】
2018042693.tif 000032
【図２９】
2018042693.tif 000033
【図３０】
2018042693.tif 000034
【図３１】
2018042693.tif 000035
【図３２】
2018042693.tif 000036